(57)【要約】      （修正有）【課題】後方ズレが少なく安定した体位保持機能が得られる体位保持パッドを提供する。【解決手段】弾性材で略枕状に形成される体位保持パッドにおいて、支持面１１と頂面１２の稜線部における接線に略直交する直線と底面１４との交点を底面１４の後端縁１４ｂよりも上記前端縁１４ａ寄りに位置させるとともに、上記背面１３を上記底面１４の後端縁１４ｂよりも前端縁１４ａ寄りに位置させていることから、支持面１１に掛る体圧はその大部分が底面１４側に指向し、底面１４から寝床側に押圧力として働くとともに、背面１３部分が底面１４の後端部１４ｂから後方側へ迫り出すのが可及的に抑制され、これら両者の相乗効果により、体位保持パッド１が後方ズレするのが可及的に防止され、後方ズレが少なく安定した体位保持機能を持つ。【選択図】図１
0003205101.tif 000002
【実用新案登録請求の範囲】
【請求項１】
弾性材で略枕状に形成され、寝床上に側臥位した人の背面側と該寝床の間に差し入れられて該人の側臥位姿勢を保持する体位保持パッドであって、
寝床（２０）上に載置される略矩形状の底面（１４）と、該底面（１４）の前端縁（１４ａ）から上昇傾斜する支持面（１１）と、該支持面（１１）の上端縁（１１ｂ）から略水平に延出する頂面（１２）と、該頂面（１２）の後端縁（１２ｂ）から上記底面（１４）の後端縁（１４ｂ）に向けて膨出湾曲しながら延出する背面（１３）を備える一方、
上記支持面（１１）と上記頂面（１２）の稜線部における接線に略直交する直線（Ｖ）と上記底面（１４）との交点（Ｐ）が上記底面（１４）の後端縁（１４ｂ）よりも上記前端縁（１４ａ）寄りに位置するとともに、
上記背面（１３）が上記底面（１４）の後端縁（１４ｂ）よりも前端縁（１４ａ）寄りに位置していることを特徴とする体位保持パッド。
【請求項２】
請求項１において、
上記弾性材がラテックスフォームで構成されていることを特徴とする体位保持パッド。
【考案の詳細な説明】
【技術分野】
【０００１】  本願考案は、寝床に仰臥姿勢で長時間寝ている人を定期的に側臥位に体位を変換させてその体位を保持するために、上記寝床と人の背面部の間に差し入れて使用される体位保持パッドに関するものである。
【背景技術】
【０００２】  この種の体位保持パッドとしては、例えば、特許文献１に示されるように、底面側の前端縁を手前側へ略クサビ状に延出させた異形長円状の断面形状をもつ略枕状に形成されたものが知られている。
【先行技術文献】
【特許文献】
【０００３】
【特許文献１】  特開２００５−５２４６０号公報
【考案の概要】
【考案が解決しようとする課題】
【０００４】  ところが、この従来の体位保持パッドによれば、全体の大きさに対して寝床に接する底面の大きさが小さく、且つ体位保持パッドの後部が底面の後端縁よりも後方へ跳ね出した形状とされていることから、この体位保持パッドをその前端縁側から寝床と側臥した人の背中の間に差し入れてこれを保持した場合、その支持面に掛る人の体圧によって、該体圧の一部は底面を介して寝床側に伝達されるが、他の多くは該体位保持パッドを後方へ押しやる方向の力として働き、この結果、次第に体位保持パッドが当初の配置位置よりも後方側へズレ出し（いわゆる「後方ズレ」）、本来目的とした適正な体位保持機能が損なわれるという問題があった。【０００５】  そこで本考案では、後方ズレが少なく安定した体位保持機能が得られるようにした体位保持パッドを提供することを目的としてなされたものである。
【課題を解決するための手段】
【０００６】  本願考案ではかかる課題を解決するための具体的手段として次のような構成を採用している。【０００７】  本願の第１の考案では、弾性材で略枕状に形成され、寝床上に側臥位した人の背面側と該寝床の間に差し入れられて該人の側臥位姿勢を保持する体位保持パッドにおいて、寝床２０上に載置される略矩形状の底面１４と、該底面１４の前端縁１４ａから上昇傾斜する支持面１１と、該支持面１１の上端縁１１ｂから略水平に延出する頂面１２と、該頂面１２の後端縁１２ｂから上記底面１４の後端縁１４ｂに向けて膨出湾曲しながら延出する背面１３を備える一方、上記支持面１１と上記頂面１２の稜線部における接線に略直交する直線Ｖと上記底面１４との交点Ｐが上記底面１４の後端縁１４ｂよりも上記前端縁１４ａ寄りに位置するとともに、上記背面１３が上記底面１４の後端縁１４ｂよりも前端縁１４ａ寄りに位置していることを特徴としている。【０００８】  本願の第２の考案では、上記第１の考案に係る体位保持パッドにおいて、上記弾性材がラテックスフォームで構成されていることを特徴としている。
【考案の効果】
【０００９】  本願考案では次のような効果が得られる。【００１０】  （ａ）本願の第１の考案に係る体位保持パッドによれば、上記支持面１１と上記頂面１２の稜線部における接線に略直交する直線Ｖと上記底面１４との交点Ｐが上記底面１４の後端縁１４ｂよりも上記前端縁１４ａ寄りに位置しているとともに、上記背面１３が上記底面１４の後端縁１４ｂよりも前端縁１４ａ寄りに位置していることから、側臥した人の背中部分が上記支持面１１に支持された状態においては、該支持面１１に掛る体圧はその大部分が上記底面１４側に指向し、該底面１４から寝床２０側に押圧力として働くとともに、上記支持面１１部分の変形に伴って上記背面１３部分が後方側へ膨出変形してもこれが上記底面１４の後端部１４ｂから後方側へ迫り出すのが可及的に抑制され、これら両者の相乗効果により、上記体位保持パッドが後方ズレするのが可及的に防止され、その結果、後方ズレが少なく安定した体位保持機能を持つ体位保持パッドを得ることができる。【００１１】  （ｂ）本願の第２の考案に係る体位保持パッドによれば、上記（ａ）に記載の効果が得られるのに加えて、以下のような特有の効果が得られる。即ち、この考案によれば、上記弾性材が体圧分散効果の高いラテックスフォームで構成されていることから、上記体位保持パッドの支持面１１に掛った体圧がより効果的に上記底面１４側へ分散伝達され、該体位保持パッドの後方ズレがより一層抑制される。
【図面の簡単な説明】
【００１２】
【図１】  本願考案の実施の形態に係る体位保持パッドの斜視図である。
【図２】  上記体位保持パッドの平面図である。
【図３】  図２のＡ−Ａ断面図である。
【図４】  図２のＢ−Ｂ断面図である。
【図５】  体位保持パッドの使用状態を示す斜視図である。
【図６】  図５のＣ−Ｃ拡大断面図である。
【考案を実施するための形態】
【００１３】  図１及び図２には、本願考案の実施形態に係る体位保持パッド１を示している。この体位保持パッド１は、図５に示すように、寝床２０と該寝床２０上に側臥した人Ｍの背部Ｍａ及び尻部Ｍｂとの間に差し入れられて該人Ｍの側臥体位を保持するものであって、弾性材（この実施形態ではラテックスフォームを採用しているが、ウレタンフォーム当接の他の弾性素材でも可能）で一体形成され、全体として略楔状の断面形状をもつ横長枕状の形体とされている。
【００１４】  即ち、この体位保持パッド１は、寝床２０（図５参照）上に載置される略横長矩形状の底面１４と、該底面１４の前端縁１４ａから滑らかに上昇傾斜する横長矩形状の支持面１１と、該支持面１１の上端縁１１ｂから略水平に延出する横長矩形状の頂面１２と、該頂面１２の後端縁１２ｂから上記底面１４の後端縁１４ｂに向けて膨出湾曲しながら延出する背面１３、及び左右意見書の側面１５を備える。なお、上記底面１４の前端縁１４ａは上記体位保持パッド１の前端１ａとなり、上記底面１４の後端縁１４ｂは上記体位保持パッド１の後端１ｂとなる。
【００１５】  そして、これら各面の位置関係は、図６に示すように、上記支持面１１の上端縁１１ｂと上記頂面１２の前端縁１２ａとの稜線部における接線に略直交する直線Ｖと上記底面１４との交点Ｐが上記底面１４の後端縁１４ｂよりも上記前端縁１４ａ寄りに位置し、さらに、上記背面１３が上記底面１４の後端縁１４ｂよりも前端縁１４ａ寄りに位置するように設定されている。
【００１６】  このように構成された体位保持パッド１は、図５に示すように、頭部を枕２１に預けて寝床２０上で側臥した人Ｍの背面側から、その背部Ｍａから尻部Ｍｂに亘る部分と上記寝床２０との間に、上記体位保持パッド１をその前端１ａ側から差し入れてその支持面１１上に人Ｍの背部Ｍａ及び尻部Ｍｂを預けてその体位を保持するものである。
【００１７】  この支持状態においては、図６に示すように、上記体位保持パッド１は人Ｍの体圧を受けてその支持面１１側から押圧変形（凹入変形）し、この変形を受けて上記頂面１２及び背面１３部分は符号１Ａで示すように後方へ膨出変形する。
【００１８】  この場合、上述のように、上記支持面１１と上記頂面１２の稜線部における接線に略直交する直線Ｖと上記底面１４との交点Ｐが上記底面１４の後端縁１４ｂよりも上記前端縁１４ａ寄りに位置しているとともに、上記背面１３が上記底面１４の後端縁１４ｂよりも前端縁１４ａ寄りに位置していることから、側臥した人の背部Ｍａ及び尻部Ｍｂ部分が上記支持面１１に支持された状態においては、該支持面１１に掛る体圧はその大部分が上記底面１４側に指向し（図６の矢印Ｆ参照）、該底面１４から寝床２０側に押圧力として働くとともに、上記支持面１１部分の変形に伴って上記背面１３部分が後方側へ膨出変形してもこれが上記底面１４の後端部１４ｂから後方側へ迫り出すのが可及的に抑制され、これら両者の相乗効果により、上記体位保持パッド１の後方ズレが可及的に防止され、その結果、後方ズレの少ない安定した体位保持機能を持つ体位保持パッドを得ることができる。
【００１９】  また、この実施形態では、上記体位保持パッド１を体圧分散効果の高いラテックスフォームで構成していることから、上記体位保持パッド１の支持面１１に掛った体圧がより効果的に上記底面１４側へ分散伝達され、該体位保持パッド１の後方ズレがより一層抑制される。
【産業上の利用可能性】
【００２０】  本考案の体位保持パッドは、主として介護現場において、長期療養者等の褥瘡防止用品として利用されるものである。
【符号の説明】
【００２１】  １    ・・体位保持パッド
１１    ・・支持面
１２    ・・頂面
１３    ・・背面
１４    ・・底面
１５    ・・側面
２０    ・・寝床
【図１】
0003205101.tif 000003
【図２】
0003205101.tif 000004
【図３】
0003205101.tif 000005
【図４】
0003205101.tif 000006
【図５】
0003205101.tif 000007
【図６】
0003205101.tif 000008